(57)【要約】【課題】室内や屋外の壁面に取り付けられることでレンガ調の装飾性を壁面に発揮させることができると同時に、衝突物に対して傷を付けることがなく、また衝撃を十分に吸収することができるブロック体の提供を課題とする。【解決手段】軟質発泡樹脂からなり、全体に色彩が施されると共に上面１１にはレンガ調の微細な凹凸模様Ｄが構成され、矩形状の底面２１をもって室内や屋外の壁面に取り付けることで壁面に衝撃吸収性と装飾性とを付与するブロック体である。【選択図】      図１
0003117249.tif 000002
【実用新案登録請求の範囲】
【請求項１】
軟質発泡樹脂からなり、全体に色彩が施されると共に上面にはレンガ調の微細な凹凸模様が構成され、矩形状の底面をもって室内や屋外の壁面に取り付けることで壁面に衝撃吸収性と装飾性とを付与することを特徴とするブロック体。
【請求項２】
底面の面積に対して上面の面積が少し小さくなるように構成してあることを特徴とする請求項１に記載のブロック体。
【請求項３】
軟質発泡樹脂が発泡ポリエチレン樹脂からなることを特徴とする請求項１又は２に記載のブロック体。
【考案の詳細な説明】
【技術分野】
【０００１】
本考案はブロック体に関し、詳しくは、室内や屋外の壁面に取り付けられて、衝撃吸収性を発揮することで、衝突しても傷等がつかないようにすることができる装飾性のブロック体に関する。
【背景技術】
【０００２】
レンガに似せたブロックやタイル等の資材、即ちレンガ調の資材として、ガーデニング等の屋外で使用するものや室内装飾に使用する軽量の資材が提供されている（特許文献１）。
これらのレンガ調のブロックやタイルは、外観をレンガのような風合にすることができるのに加えて、プラスチックやその他の軽量資材により軽量に作られていることから、取り扱いが容易で、使いやすいという利点がある。このため、従来は室内や屋外の壁面等に本物のレンガに代えてレンガ調の装飾を施すのに使用されていた。
【特許文献１】特開２００５−１３２６８９号公報
【考案の開示】
【考案が解決しようとする課題】
【０００３】
ところが上記特許文献１に記載の建築用タイルや、その他の従来のレンガ調軽量資材は、何れも硬質材で構成されており、その結果、これらの軽量硬質タイルないしブロックを、例えば自動車の車庫の壁面に使用した場合には、装飾性を向上させることができるものの、自動車のドア等が壁面に触れた際に、ドア表面に傷が付きやすいという問題を避けることができなかった。また例えば室内の壁面に使用した場合には、装飾性を向上させることができる一方、子供等の頭が当たった場合に衝撃緩和の役割を果たすことができないという問題があった。
【０００４】
そこで本考案は上記従来の問題を解消し、室内や屋外の壁面に取り付けられることでレンガ調の装飾性を壁面に発揮させることができると同時に、衝突物に対して傷を付けることがなく、また衝撃を十分に吸収することができるブロック体の提供を課題とする。
【課題を解決するための手段】
【０００５】
上記課題を達成するため、本考案のブロック体は、軟質発泡樹脂からなり、全体に色彩が施されると共に上面にはレンガ調の微細な凹凸模様が構成され、矩形状の底面をもって室内や屋外の壁面に取り付けることで壁面に衝撃吸収性と装飾性とを付与するブロック体であることを第１の特徴としている。
また本考案のブロック体は、上記第１の特徴に加えて、底面の面積に対して上面の面積が少し小さくなるように構成してあることを第２の特徴としている。
また本考案のブロック体は、上記第１又は第２の特徴に加えて、軟質発泡樹脂が発泡ポリエチレン樹脂からなることを第３の特徴としている。
【考案の効果】
【０００６】
請求項１に記載のブロック体によれば、矩形状の底面をもって室内や屋外の壁面に、両面テープや接着剤により簡単に貼り付けて、ブロック体を取り付けることができる。これによってブロック体の上面が新たな壁面となって、レンガ調の微細な凹凸模様による装飾性を付与することができる。勿論、ブロック体の底面は矩形状であるので、複数のブロック体を壁面に相互に隙間を生じることなく取り付けることが可能である。
そしてブロック体は軟質発泡樹脂からなるので、該ブロック体に物等が触れたり、衝突したりしても、その物等に傷が付くのを防止することができ、またその物等に対する衝撃を十分に緩和することができる。
【０００７】
請求項２に記載のブロック体によれば、上記請求項１に記載の構成による効果に加えて、ブロック体の底面の面積に対して上面の面積が少し小さくなるように構成しているので、ブロック体を壁面に相互に接触させて緻密に取り付ける場合においても、面積の小さい上面側を手で持ちやすく、よって既に取り付けられているブロック体の隙間へも容易に、確実に取り付けを行うことができる。またブロック体の上面の面積を底面の面積に対して少し小さくなるようにしているので、ブロック体を壁面に緻密に配列して取り付けた場合においても、ブロック体の上面においては、隣接するブロック体の上面との間に一定の間隙線からなる線模様を容易に且つ正確な間隙線として構成することが可能となる。
【０００８】
請求項３に記載のブロック体によれば、上記請求項１又は２に記載の構成による効果に加えて、軟質発泡樹脂が発泡ポリエチレン樹脂からなることにより、ブロック体が十分に弾力性を有して、そのクッション性を十分に発揮し、接触し或いは衝突してくるものに対して傷を付けるのを確実に防止し、また衝撃を十分に低減することができる。
【考案を実施するための最良の形態】
【０００９】
以下の図面を参照して本考案の実施形態を更に詳細に説明し、本考案の理解に供する。しかし以下の説明は本考案の具体例であって、実用新案登録請求の範囲に記載の内容を減縮するものではない。
図１は本考案の実施形態に係るブロック体の斜視図、図２はブロック体の正面図、図３はブロック体の平面図、図４はブロック体を壁面に並べて取り付けた状態を示す図、図５は図の４のＡ−Ａ断面図、図６はブロック体の製造を説明する図である。
【００１０】
図１〜図５を参照して、本考案のブロック体１は軟質発泡樹脂からなり、ブロック体１の全体に色彩が施されている。そしてブロック体１の少なくとも上面１１にはレンガ調の微細な凹凸模様Ｄが構成されている。
一方、ブロック体１の矩形状の底面２１によって、室内や屋外の壁面Ｗに取り付けられる。この取り付けは、例えば接着剤や両面接着テープを用いて行うことができる。壁面Ｗに取り付けられたブロック体１は、前記軟質発泡樹脂による衝撃吸収性と、前記色彩及レンガ調の微細な凹凸模様による装飾性を壁面Ｗに付与する。
【００１１】
前記ブロック体１の上面１１は底面２１に対して、略相似形とし、且つ面積が少し小さくなるように構成している。上面１１の面積を底面２１の面積よりも少し小さくなるようにすることで、ブロック体１を壁面Ｗに密に取り付ける際に、上面１１側の周囲に多少の隙間Ｓ（図５参照）が生じるので、手が邪魔になりにくい。またブロック体１を密に並べて取り付けた場合に、前記隙間Ｓの連続による格子模様Ｌを自然に構成することができる。
【００１２】
前記軟質発泡樹脂は、例えば発泡ポリエチレンとすることができる。発泡ポリエチレンは軟質であることから、該発泡ポリエチレンからなるブロック体１に何か物体が当たった場合に、その物体の表面に傷を付けることがない。従ってブロック体１を駐車ガレージの壁面に取り付けて用いることで、ガレージの装飾性を向上させることは元より、自動車のドア等が誤って壁面に当たっても、ドア等の車体に擦り傷が付いたり、凹んだりすることを避けることができる。
またブロック体１自らが凹むことで、物体に対する衝撃を吸収する。従ってブロック体１を室内の壁に取り付けて用いた場合に、子供等が頭をぶつけても怪我をするといった問題を回避することができる。
そして発泡ポリエチレンからなるブロック体１は、適当な弾力性も有することから、一旦凹んでも、ある程度は元の形状に復帰することができるので、長期間の使用にも耐えることができる。また物に当たってもブロック体１の表面がボロボロと落ちたりすることがない。
勿論、ブロック体１の上面１１には微細な凹凸模様を施してあるので、多少の傷や凹みが衝突によって生じても、それが目立つことがない。
なお当然であるが、発泡により軽量化されており、取り扱いが容易である。
軟質発泡樹脂は、発泡ポリエチレンの他、軟質で衝撃吸収性のある発泡樹脂を使用することが可能である。本考案はこのような場合もその範囲に含むものである。
【００１３】
ブロック体１の形状は、特に限定されるものではないが、本実施形態では、縦、横の寸法に比べて厚みが小さくしてなる矩形状の板として構成している。
前記矩形状の板からなるブロック体１は、より詳細には、上部１０と基礎部２０とからなる。
基礎部２０は扁平な直方体形状としている。しかし必要に応じて側壁２２に厚み方向の若干のテーパをつけ、断面が扁平な台形形状のものとしてもよい。基礎部２０の底面２１は凹凸のない平滑面とし、壁面Ｗへの接着が良好に行えるようにしている。底面２１には必要に応じて接着剤が剥離紙と共に施されたものとしてもよい。また底面２１は最初から接着剤を施したものとせず、既述したように、実際の壁面Ｗへの取り付けに際して接着剤を塗布し或いは両面接着テープを用いて取り付けるようにしてもよい。
【００１４】
前記ブロック体１の上部１０は、壁面Ｗに取り付けられた状態で人目にさらされる新たな表面となる部分である。側壁１２は厚み方向にテーパがつけられており、断面が扁平な台形形状にされている。
上部１０の側壁１２は、基礎部２０の上面外周線から内側へ小さな寸法の段部２３が構成され、その内側の位置からから傾斜して立ち上がっており、前記基礎部２０の厚みよりも少し小さい厚みを構成している。
上部１０の上面１１は、ブロック体１の上面でもあるが、既述したように表面にレンガ調の微細な凹凸模様Ｄが施されている。また前記傾斜した側壁１２にもレンガ調の微細な凹凸模様Ｄが施されている。その結果、ブロック体１が壁面Ｗに取り付けられて構成される新たな壁面がレンガ作り調となる。
【００１５】
ブロック体１の壁面Ｗへの取り付けは、図４に示すように、ブロック体１同士を密に並べて取り付ける他、ブロック体１による模様を壁面Ｗに構成する如く、適当に分散させて取り付けるようにしてもよい。密に並べて取り付ける場合には、ブロック体１の上部１０が側壁１２の傾斜をもって基礎部２０よりもその面積が小さくなされているので、隣接するブロック体１の上部１０との間に多少の隙間Ｓが生じることから、ブロック体１の取り付けが容易となる。またブロック体１を密に並べて取り付けた場合に、既述したように隙間Ｓの連続による格子模様Ｌを自動的に構成することができる。
【００１６】
ブロック体１の製造は、例えば図６に示すような工程で行うことができる。先ず色彩を付けた発泡ポリエチレンからなるシート状ブロックＢ１を用意し、次にこのブロックＢ１を加熱機Ｈにより１５０℃程度に加熱することで、成型がしやすい状態にする。この加熱状態のシート状ブロックＢ１をコールドプレス機Ｐの金型Ｍにセットして冷却しながら成型と裁断を行う。前記コールドプレス機の金型Ｍには前記シート状ブロックＢ１から準完成品である小ブロックＢ２を得るための一対の雄型と雌型を予め構成しておく。
前記コールドプレス機Ｐによって得られた小ブロックＢ２は外形的にはブロック体１と同じである。これに仕上げ作業として、ブラシかけ等による艶消し作業を行い、レンガ調の自然な風合いを持つブロック体１を完成させる。
【産業上の利用可能性】
【００１７】
室内、屋外の壁面に取り付けて、レンガ調の装飾を付加し、併せて壁面に接触し或いは衝突するものに対して、擦り傷が付いたり、凹んだりするのを防止し、また衝撃を吸収して打撲を受けるのを防止するのに役立てることができる。
【図面の簡単な説明】
【００１８】
【図１】本考案の実施形態に係るブロック体の斜視図である。
【図２】本考案の実施形態に係るブロック体の正面図である。
【図３】本考案の実施形態に係るブロック体の平面図である。
【図４】本考案の実施形態に係るブロック体を壁面に並べて取り付けた状態を示す図である。
【図５】図の４のＡ−Ａ断面図である。
【図６】本考案の実施形態に係るブロック体の製造を説明する図である。
【符号の説明】
【００１９】
１    ブロック体
１０  上部
１１  上面
１２  側壁
２０  基礎部
２１  底面
２２  側壁
２３  段部
Ｂ１  シート状ブロック
Ｂ２  小ブロック
Ｄ    凹凸模様
Ｈ    加熱機
Ｌ    格子模様
Ｍ    金型
Ｐ    コールドプレス機
Ｓ    隙間
Ｗ    壁面
【図１】
0003117249.tif 000003
【図２】
0003117249.tif 000004
【図３】
0003117249.tif 000005
【図４】
0003117249.tif 000006
【図５】
0003117249.tif 000007
【図６】
0003117249.tif 000008